(57)【要約】【課題】一方の遊技部品構成体に他方の遊技部品構成体を取付ける場合、両者に設けられている軸受部の軸受孔の中心が同一軸上で一致するように両者をねじ止めする必要があるが、ねじを締結する時にねじの締結方向（時計回り）に他方の遊技部品構成体が回転したりして位置ずれする。このため、遊技部品の可動体の軸の回転がスムーズにならず、可動体の動きが悪くなる。【解決手段】一方の遊技部品構成体（組合せ体２００）を組立装置の基部に位置決め固定し、この一方の遊技部品構成体の上に他方の遊技部品構成体（軸保持体３００）を搭載するとともに組立装置基部に位置決め固定することによって、一方の遊技部品構成体の軸受孔１３１ａの中心と他方の遊技部品構成体の軸受孔３０２ａの中心とを同一軸上で一致させ、両者を止めねじ２０２，２０２で締結することによって、両者を互いに１つのまとまりに組合せる。【選択図】　　　　図３
2004081314.tif 000002
【特許請求の範囲】
【請求項１】
一方の遊技部品構成体を組立装置基部に位置決め固定し、この一方の遊技部品構成体の上に他方の遊技部品構成体を搭載するとともに組立装置基部に位置決め固定することによって、一方の遊技部品構成体の軸受孔の中心と他方の遊技部品構成体の軸受孔の中心とを同一軸上で一致させ、他方の遊技部品構成体に設けられた結合部から一方の遊技部品構成体に設けられた結合部に止めねじを締結することによって、一方の遊技部品構成体と他方の遊技部品構成体とを互いに１つのまとまりに組合せることを特徴とする遊技部品の組立方法。
【請求項２】
基部と、基部上に設けられ一方の遊技部品構成体を位置決め固定する第１位置決め固定部と、基部上に設けられ一方の遊技部品構成体の上に搭載される他方の遊技部品構成体に設けられた軸受孔の中心と一方の遊技部品構成体に設けられた軸受孔の中心とが同一軸上で一致する状態に他方の遊技部品構成体を位置決め固定する第２位置決め固定部とを備えたことを特徴とする遊技部品の組立装置。
【請求項３】
第２位置決め固定部は、他方の遊技部品構成体の側壁を囲むように挟み込む左右の挟み部と、この左右の挟み部を他方の遊技部品構成体の側壁方向及びその反対方向にスライドさせるスライド機構と、左右の挟み部で他方の遊技部品構成体の側壁を囲むように挟み込んだ状態で左右の挟み部をロックするロック機構とを備えたことを特徴とする請求項２に記載の遊技部品の組立装置。
【発明の詳細な説明】
【０００１】
【発明の属する技術分野】
本発明は、複数の遊技部品構成体を組合せて成る遊技部品の組立方法及び組立装置に関する。
【０００２】
【従来の技術】
図４はパチンコ機用遊技部品としての可変入賞装置１００を示す斜視図、図５は可変入賞装置１００の簡略正面図である。この可変入賞装置１００は、取付ベース１０１を介して図示しない遊技盤に取付けられるものであり、センター役物とも呼ばれる。遊技盤に設けられた図示しない始動口に球が入賞すると、図示しない制御装置が可変入賞装置１００の左右一対の羽根１０２，１０２を開閉し、球が上部入口１０３を介して可変入賞装置１００の内部に導入され得る状態になる。１０４は球カウントゲート１０５を介して落下してきた球を可変入賞装置１００の内部奥側に導く傾斜板である。球カウントゲート１０５は内部に球検出器を備えたゲートであり、羽根１０２，１０２に対応して左右一対で設けられている。傾斜板１０４の奥側には周面下方に複数の開口１０６を有する円筒状回転体１０７が設けられ、この円筒状回転体１０７の左右両側の位置には球貯留装置１０８が設けられ、また、傾斜板１０４の左右側方位置には傘状回転体１０９が設けられている。上記円筒状回転体１０７、球貯留装置１０８、傘状回転体１０９の駆動制御態様としては種々有り得る。例えば、制御装置により、通常は、円筒状回転体１０７及び傘状回転体１０９を単純に回転させるようにしておいてもよいし、所定周期で回転・停止を繰り返すようにしておいてもよい。球が始動口に入賞して羽根１０２，１０２が開閉すると、球は球カウントゲート１０５及び傾斜板１０４を介して円筒状回転体１０７の開口１０６に入る可能性があり、この場合、球は特定入賞誘導路１１０に落下し、特定入賞部１１１に入賞する可能性が高くなる。また、円筒状回転体１０７の開口１０６に入らなかった球は円筒状回転体１０７の左右側の落下口１１２に導かれて下部傾斜板１１３上に落下するが、この場合、特定入賞部１１１に入賞する可能性は低い。球が特定入賞部１１１に入賞したら特別遊技状態となり、制御装置は、例えば、羽根１０２，１０２を頻繁に開閉させるとともに、傘状回転体１０９の傘部１１９（図７参照）が傾斜板１０４の中央方向に突出するような状態に傘状回転体１０９を停止させる。
また、開口１０６が図５に示すような正面に位置する状態に円筒状回転体１０７を停止させる。また、球貯留装置１０８を駆動して落下口１１２を塞ぐようにして球を傾斜板１０４上に貯留できるようにする。以上により、球カウントゲート１０５を介して傾斜板１０４上に落下する球は傘状回転体１０９の傘部１１９の外周面１１８（図７参照）にガイドされて円筒状回転体１０７の開口１０６に導かれる可能性が高くなり、また、開口１０６に入らなくても球貯留装置１０８により傾斜板１０４に球が貯留され、この貯留された球群により開口１０６への誘導路が形成されることで後続の球を円筒状回転体１０７の開口１０６に導く可能性が高くなる。また、特別遊技状態の終了時点で球貯留装置１０８を解除した時は、傾斜板１０４上に貯留されていた複数の球が連続して下部傾斜板１１３上に落下するため、後に落下した球が特定入賞部１１１に入賞する可能性がある。以上説明した遊技部品としての可変入賞装置１００は、特開２００１−３３４０３５に開示されている。
【０００３】
図４に示すように、可変入賞装置１００は、複数の遊技部品構成体が組合わされて成る。この可変入賞装置１００の組立は、まず、図６に示すように、複数の遊技部品構成体が組合わされて成る組合せ体２００を組立てて、この組合せ体２００の裏側にさらに遊技部品構成体としての軸保持体３００を２つのねじ締結部２０１，２０１を介してねじ２０２，２０２により取付ける。ねじ締結部２０１は、組合せ体２００に設けられた取付ボス２０３に形成された螺着孔２０４（結合部）と螺着孔２０４に対応するよう軸保持体３００に設けられた取付孔２０５（結合部）とにより構成される。図６，７に示すように、組合せ体２００の取付ベース体２１０には、羽根１０２の軸１２０の羽根側を支持する軸受部１２１及び傘状回転体１０９の軸１３０の傘状回転体側を支持する軸受部１３１が設けられており、また、軸保持体３００には、羽根１０２の軸１２０の駆動源側を支持する軸受部３０１及び傘状回転体１０９の軸１３０の駆動源側を支持する軸受部３０２が設けられている。しかして、組合せ体２００の軸受部１３１の軸受孔を介して軸１３０を挿入し、かつこの軸１３０の駆動源側を軸保持体３００の軸受部３０２の軸受孔に挿入した状態で軸保持体３００を組合せ体２００に取付ける。その後に、図８に示すように、羽根１０２の軸１２０を軸受部１２１，３０１の軸受孔を介して組付け、この軸１２０の駆動源側にリンク軸１２５を組付け、また、傘状回転体１０９の軸１３０の駆動源側に従動歯車１４０を組付けて成る組合せ体４００に、ソレノイド５０１を備えた羽根駆動構成体５００とステップモータ１６０の回転力を傘状回転体１０９に伝達するための歯車列１５０が収納される歯車収納体６００とを取付ける。羽根駆動構成体５００は、ソレノイド５０１の作動軸５０２が連結されたアーム５０３の一端５０４側が支点軸５０５に組付けられ、アーム５０３の他端５０６側がリンク軸１２５に組付けられる。これにより、ソレノイド５０１の作動軸５０２が上下に動くとアーム５０３が支点軸５０５を中心として上下に動き、これに伴ってリンク軸１２５も上下に回動することで軸１２０が所定角度回転して羽根１０２が開閉動作を行う。歯車収納体６００は３つのねじ締結部６０１を介して３つのねじ６０５，６０５，６０５により軸保持体３００に取付けられる。これにより、歯車収納体６００に収納された歯車列１５０の出力側の従動歯車１５１と傘状回転体１０９の軸１３０に設けられた従動歯車１４０とが噛み合う状態に組付けられる。ねじ締結部６０１は、軸保持体３００に設けられた取付ボス６０２に形成された螺着孔６０３と螺着孔６０３に対応するよう歯車収納体６００に設けられた取付孔６０４とにより構成される。歯車収納体６００は歯車取付ベース６１０と歯車取付カバー６１１とで複数の歯車１５１，１５１，１５２，１５３を回転可能に支持して成るものである。そして、駆動歯車１５３にステップモータ１６０の軸が連結され、ステップモータ１６０により回転する駆動歯車１５３の回転を従動歯車１５２，１５１，１５１，１４０，１４０を介して傘状回転体１０９，１０９に伝達して傘状回転体１０９，１０９を所定角度回転させる。組付けられた羽根駆動構成体５００や歯車収納体６００の裏側にはカバー７００（図４参照）、その他必要な部品等が取付けられて可変入賞装置１００の組立が完了する。
【０００４】
【発明が解決しようとする課題】
図６のように組合せ体２００に軸保持体３００を取付ける場合、組合せ体２００の軸受部の軸受孔の中心と軸保持体３００の軸受部の軸受孔の中心とが同一軸上で一致するように両者をねじ止めする必要がある。即ち、軸１２０をスムーズに回転させるためには軸受部１２１の軸受孔の中心と軸受部３０１の軸受孔の中心とが同一軸上で一致するように両者をねじ止めする必要があるし、軸１３０をスムーズに回転させるためには軸受部１３１の軸受孔と軸受部３０２の軸受孔の中心とが同一軸上で一致するように両者をねじ止めする必要がある。
しかし、ねじ締結部２０１をねじ２０２で締結すると締結力で軸保持体３００がずれる。これは、取付孔２０５の孔径は螺着孔２０４の孔径やねじ２０２の径より大きく形成されていて取付孔２０５の内面とねじ２０２との間に隙間が生じるため、ねじ２０２を締め付けるとねじの締結方向（時計回り）に軸保持体３００が回転したりして軸保持体３００が位置ずれするためである。つまり、図９に示すように、ねじ２０２を締め付けると、締付力により、組合せ体２００の軸受部の軸受孔１２１ａ，１３１ａの中心と軸保持体３００の軸受部の軸受孔３０１ａ，３０２ａの中心とがずれた状態に軸保持体３００が取付けられるので、軸１２０，１３０の回転がスムーズにならず、可動体としての羽根１０２や傘状回転体１０９の動きが悪くなる。
【０００５】
【課題を解決するための手段】
本発明の遊技部品の組立方法は、一方の遊技部品構成体を組立装置基部に位置決め固定し、この一方の遊技部品構成体の上に他方の遊技部品構成体を搭載するとともに組立装置基部に位置決め固定することによって、一方の遊技部品構成体の軸受孔の中心と他方の遊技部品構成体の軸受孔の中心とを同一軸上で一致させ、他方の遊技部品構成体に設けられた結合部から一方の遊技部品構成体に設けられた結合部に止めねじを締結することによって、一方の遊技部品構成体と他方の遊技部品構成体とを互いに１つのまとまりに組合せる。即ち、組立装置の基部に、一方の遊技部品構成体の軸受孔の中心と他方の遊技部品構成体の軸受孔の中心とを同一軸上で一致させて位置決め固定した状態で止めねじを締結することによって、一方の遊技部品構成体に対して他方の遊技部品構成体が位置ずれして取付けられることが無くなり、一方の遊技部品構成体の軸受部の軸受孔の中心と他方の遊技部品構成体の軸受部の軸受孔の中心とが一致した状態に正確に取付けられるので、軸の回転がスムーズとなり、可動体の動きがスムーズとなる遊技部品が得られる。
また、本発明の遊技部品の組立装置は、上記方法を実現するため、基部と、基部上に設けられ一方の遊技部品構成体を位置決め固定する第１位置決め固定部と、基部上に設けられ一方の遊技部品構成体の上に搭載される他方の遊技部品構成体に設けられた軸受孔の中心と一方の遊技部品構成体に設けられた軸受孔の中心とが同一軸上で一致する状態に他方の遊技部品構成体を位置決め固定する第２位置決め固定部とを備えたものとした。また、第２位置決め固定部は、他方の遊技部品構成体の側壁を囲むように挟み込む左右の挟み部と、この左右の挟み部を他方の遊技部品構成体の側壁方向及びその反対方向にスライドさせるスライド機構と、左右の挟み部で他方の遊技部品構成体の側壁を囲むように挟み込んだ状態で左右の挟み部をロックするロック機構とを備えたものとしたので、一方の遊技部品構成体の軸受孔の中心と他方の遊技部品構成体の軸受孔の中心とを同一軸上で一致させた状態に他方の遊技部品構成体を正確に位置決め固定できるので、軸の回転がスムーズとなり、可動体の動きがスムーズとなる遊技部品を容易に組立てることができるようになる。
【０００６】
【発明の実施の形態】
図１〜図３に基いて本発明の実施形態を説明する。尚、図４〜９の従来例と同一又は相当部分は同一符号を付して詳説を省略する。図１は可変入賞装置１００の組立装置を示す斜視図であり、この組立装置１は、基部２上に、組合せ体２００を位置決め固定する第１位置決め固定部３と、第１位置決め固定部３で位置決めされた組合せ体２００の上に搭載される軸保持体３００に設けられた軸受部の軸受孔３０１ａ，３０２ａの中心と組合せ体２００に設けられた軸受部の軸受孔１２１ａ，１３１ａの中心とが同一軸上で一致する状態に軸保持体３００を左右両側から挟み込んで位置決め固定する第２位置決め固定部４，４とを備える。第１位置決め固定部３は、組合せ体２００の表側（即ち、可変入賞装置１００の表側）の外周形状に対応した壁３１で組合せ体２００の表側の外周を規制して組合せ体２００を位置決め固定できるようなものであればよい。第２位置決め固定部４は、基部２上に設けられたレール４１とこのレール４１を介して第１位置決め固定部３の方向及びその反対方向に移動可能となった移動体４２とから成るスライド機構４３と、ロック棒４４を移動体４２の翼４５に設けられた孔及び基部２に設けられたロック部材４６の孔４７に挿入することにより移動体４２をロックするロック機構４８と、レール４１における第１位置決め固定部３とは反対側に設けられて移動体４２のレール４１からの脱落を防止する脱落規制部４９とを備える。移動体４２の上部板５０における第１位置決め固定部３側には、軸保持体３００の三方の側壁３５１，３５２，３５３を挟み込む挟み部材５１，５２，５３から成る挟み部５５が設けられている。
従って、まず、図２（ａ）のように第１位置決め固定部３に組合せ体２００を固定し、その上に軸保持体３００を載せる。次に図２（ｂ）のように左右の移動体４２，４２を第１位置決め固定部３の方向に移動させ、図３（ａ）のように挟み部５５，５５で軸保持体３００の四方の側壁３５１，３５２，３５３，３５２を囲むように挟み込んだ状態で、ロック機構４８，４８により移動体４２，４２をロックする。これにより、軸保持体３００に設けられた軸受孔３０１ａ，３０２ａの中心と組合せ体２００に設けられた軸受孔１２１ａ，１３１ａの中心とが同一軸上で一致する状態に軸保持体３００を位置決め固定できる（図３（ｂ）参照）。この状態で、ねじ２０２をねじ締結部２０１に締結すれば、軸保持体３００の四方の側壁３５１，３５２，３５３，３５２は挟み部５５，５５により固定されているので、軸保持体３００がねじの締結方向（時計回り）に回転したりして位置ずれすることがない。従って、軸保持体３００の軸受孔の中心と組合せ体２００の軸受孔の中心とがずれることなく軸保持体３００を取付けることができ、よって、軸１２０，１３０の回転がスムーズとなり、可動体としての羽根１０２や傘状回転体１０９の動きがスムーズとなる可変入賞装置１００が得られる。
尚、最初に、組合せ体２００を第１位置決め固定部３に固定し、その上に軸保持体３００を搭載した状態において、軸受孔１３１ａ，３０２ａに軸１３０を挿通しておくようにして、移動体４２，４２をロックした状態で、各軸受孔が同一軸上で一致する状態を確認してから、その状態で挟み部材５１，５２，５３の位置を調整ねじ６０及び調整孔６１を介して調整して挟み部材５１，５２，５３が側壁３５１，３５２，３５３に当接する状態に固定しておく。挟み部材５１，５２，５３は位置を調整ねじ６０及び調整孔６１を介して調整できるようになっているので、軸保持体３００の多少の外径寸法変更に対応できる。
【図面の簡単な説明】
【図１】本発明の実施形態による遊技部品の組立装置を示す斜視図。
【図２】組立装置による組立方法を示す図であり、（ａ）は第１位置決め固定部に位置決めされた組合せ体の上に軸保持体を搭載した状態を示す図、（ｂ）は軸保持体を挟み付けてねじを締結する状態を示す図。
【図３】組立装置で軸保持体を挟み付けた状態を示す図であり、（ａ）は平面図、（ｂ）はねじを締結した後の状態を示す（ａ）のＡ−Ａ断面図。
【図４】遊技部品としての可変入賞装置の斜視図。
【図５】可変入賞装置の正面図。
【図６】軸保持体の取付け態様を示す斜視図。
【図７】軸受部の位置を示す要部斜視図。
【図８】歯車収納体の取付け態様を示す斜視図。
【図９】軸保持体の取付による位置ずれを説明するための図。
【符号の説明】
１　組立装置、２　基部、３　第１位置決め固定部、
４，４　第２位置決め固定部、４１　レール、４２　移動体、
４３　スライド機構、４８　ロック機構、５５　挟み部、
５１，５２，５３　挟み部材、１００　可変入賞装置（遊技部品）、
１２１，１３１，３０１，３０２　軸受部、
１２１ａ，１３１ａ，３０１ａ，３０２ａ　軸受孔、
２００　組合せ体（一方の遊技部品構成体）、
３００　軸保持体（他方の遊技部品構成体）、
３５１，３５２，３５２，３５３　軸保持体の四方の側壁。
【図１】
2004081314.tif 000003
【図２】
2004081314.tif 000004
【図３】
2004081314.tif 000005
【図４】
2004081314.tif 000006
【図５】
2004081314.tif 000007
【図６】
2004081314.tif 000008
【図７】
2004081314.tif 000009
【図８】
2004081314.tif 000010
【図９】
2004081314.tif 000011